(57)【要約】      （修正有）【課題】制作期間が短縮でき、手軽に皮の張りも調節できる和太鼓を提供する。【解決手段】胴１の両端に鼓面を有する和太鼓Ｄであって、皮固定リングと、皮２の張り具合を調節する所要数の張り調節用ロッド４とを備え、皮固定リングは、胴１の端部の外径より大きな内径を有し、張り調節用ロッド４は、両端部に張り調節用ボルトと螺合される雌ネジ部を有し、かつ、皮固定リング間に配設されてなるものである。皮固定リングの外周にはパイプをリング状に形成してなるリングパイプ５が一体化させて配設されている。【選択図】図１
2015228008.tif 000002
【特許請求の範囲】
【請求項１】
胴の両端に鼓面を有する和太鼓であって、
皮をボルト・ナット留めする皮固定リングと、皮の張り具合を調節する張り調節用ロッドとを備え、
前記皮固定リングは、前記胴の端部の外径より大きな内径を有し、
前記張り調節用ロッドは、両端部に張り調節用ボルトと螺合される雌ネジ部を有し、かつ、前記皮固定リング間に配設されてなる
ことを特徴とする和太鼓。
【請求項２】
皮固定リングの外側に外側リングを一体化させて備えてなることを特徴とする請求項１記載の和太鼓。
【請求項３】
皮が耐水性を有するものとされてなることを特徴とする請求項１記載の和太鼓。
【請求項４】
皮固定リングの外周に飾り紐を通すための切欠きが形成されてなることを特徴とする請求項１記載の和太鼓。
【請求項５】
張り調節用ロッドに螺合されているボルトのネジ込量を調節することにより皮の張り具合が調整されてなることを特徴とする請求項１記載の和太鼓。
【発明の詳細な説明】
【技術分野】
【０００１】
本発明は和太鼓に関する。さらに詳しくは、安価に制作でき、しかも皮の張り具合の調節も容易な和太鼓に関する。
【背景技術】
【０００２】
従来より、打楽器の一種として和太鼓が知られている。この和太鼓においては、木製胴の両端(または一端)側面に鼓面を構成する皮が張設状態で直接鋲留め固定されている。そのため、和太鼓の制作が煩雑となるとともに、制作に長期を要している。その結果、和太鼓の価格が高くなっている。
【０００３】
また、皮が胴側面に直接鋲留めされているため、使用中に皮が緩んだ場合の張り直しなども煩雑となっている。
【０００４】
かかる従来の和太鼓の欠点を解消すべく、特許文献１には、手軽に皮の張りが調節できる和太鼓が提案されている。
【０００５】
しかしながら、特許文献１には、ジャッキを和太鼓に装着するような構成とされているため、構成の複雑化を招来して価格のより一層の上昇を招来しているという問題がある。
【先行技術文献】
【特許文献】
【０００６】
【特許文献１】特開２００３−２６３１５３号公報
【発明の開示】
【発明が解決しようとする課題】
【０００７】
本発明はかかる従来技術の課題に鑑みなされたものであって、制作期間が短縮でき、しかも手軽に皮の張りも調節できる和太鼓を提供することを目的としている。
【課題を解決するための手段】
【０００８】
本発明の和太鼓は、胴の両端に鼓面を有する和太鼓であって、皮をボルト・ナット留めする皮固定リングと、皮の張り具合を調節する張り調節用ロッドとを備え、前記皮固定リングは、前記胴の端部の外径より大きな内径を有し、前記張り調節用ロッドは、両端部に張り調節用ボルトと螺合される雌ネジ部を有し、かつ、前記皮固定リング間に配設されてなることを特徴とする。
【０００９】
本発明の和太鼓においては、皮固定リングの外側に外側リングを一体化させて備えてなるのが好ましい。
【００１０】
また、本発明の和太鼓においては、皮が耐水性を有するものとされてなるのが好ましい。
【００１１】
また、本発明の和太鼓においては、皮固定リングの外周に飾り紐を通すための切欠きが形成されてなるのが好ましい。
【００１２】
また、本発明の和太鼓においては、張り調節用ロッドに螺合されているボルトのネジ込量を調節することにより皮の張り具合が調節されてなるものとされる。
【発明の効果】
【００１３】
本発明の和太鼓は、前記の如く構成されているので、和太鼓の制作期間を短縮でき、その制作コストも低減されるという優れた効果を奏する。また、本発明の和太鼓は、前記の如く構成されているので、皮の張り具合の調節も容易になし得るという優れた効果を奏する
【図面の簡単な説明】
【００１４】
【図１】本発明の実施形態１に係る和太鼓の正面図である。
【図２】同平面図である。
【図３】同ボルト・ナット留め部の詳細図である。
【図４】同ロッド留め部の詳細図である。
【図５】本発明の実施形態２に係るリングの部分平面図である。
【図６】同実施形態の和太鼓の部分写真である。
【発明を実施するための形態】
【００１５】
以下、添付図面を参照しながら本発明を実施形態に基づいて説明するが、本発明はかかる実施形態のみに限定されるものではない。
【００１６】
実施形態１
本発明の実施形態１に係る和太鼓Ｄを図１ないし図４に示す。
【００１７】
和太鼓Ｄは、図１ないし図４に示すように、胴１と、皮２と、皮２を固定する皮固定リング３と、張り調節用ロッド４とを主要構成要素として備え、皮２を皮固定リング３にボルトＢとナットＮとによるボルト・ナット留めするとともに、皮２の張り具合を張り調節用ロッド４へのボルト(張り調節用ボルト)Ｂのネジ込量によって調節するようにされてなるものとされる。図３中、符号Ｗは座金を示す。
【００１８】
胴１は、合板を円筒状に成形してなるものとされる。
【００１９】
皮２は円盤状素材の周囲にボルト用孔(明瞭には図示はされていない)が所要数形成されてなるものとされる。皮２の素材としては、従来より和太鼓に用いられているものを用いてもよいが、ドーム球場の屋根に用いられている天幕用素材とされるのが、雨天の屋外でも使用できる耐水性を備える点から好ましい。
【００２０】
皮固定リング３は、皮２に設けられたボルト用孔に対応させたボルト用孔(図５参照)が所要数形成されてなる平板状とされる。皮固定リング３の外周にはパイプをリング状に形成してなるリングパイプ(外側リング)５が溶接などにより一体化させて配設されている。このリングパイプ５は、例えば把持用取っ手として利用される。なお、このリングパイプ５は、必要に応じて設けられればよく、必ずしも設けられる必要はない。また、外側リングは中実材とされてもよい。
【００２１】
張り調節用ロッド４は、両端部に雌ネジが形成されてなるものとされる。張り調節用ロッド４の長さは、皮固定リング３，３間に配設されるように調節されている。張り調節用ロッド４の本数は、図示例においては、５本とされているが、張り調節用ロッド４の本数は５本に限定されるものではなく、４本から１０本の範囲で適宜とされる。なお、張り調節用ロッド４は、中空材とされてもよく、中実材とされてもよい。
【００２２】
次に、かかる構成とされた和太鼓Ｄの制作手順の一例について説明する。
【００２３】
手順１：皮２を皮固定リング３にボルト・ナット留めする。
【００２４】
手順２：ボルト・ナット留めされた皮２の一方を台の上に裏面(ナット側)を上に向けて載置する。
【００２５】
手順３：胴１を台に載せられた２の上に載置する。
【００２６】
手順４：他方の皮２を胴に被せる。
【００２７】
手順５：張り調節用ロッド４を胴１に沿わせて皮固定リング３，３間に配設する。
【００２８】
手順６：張り調節用ロッド４の両端に皮固定リング３を挿通させたボルト(張り調節用ボルト)Ｂを螺合する。
【００２９】
手順７：ボルト(張り調節用ボルト)Ｂのネジ込量を調節して皮２の張り具合を調節する。
【００３０】
これにより、和太鼓Ｄの制作が終了する。
【００３１】
このように、本実施形態によれば、和太鼓Ｄを手軽に制作することができ、和太鼓Ｄの制作期間および制作コストを著しく低減できる。また、使用して皮２が弛んでもボルト(張り調節用ボルト)Ｂをネジ込むだけで弛みを解消できるので、素人でも手軽に張り具合の調節がなし得る。さらに、皮２の固定がボルト・ナット留めによりなされているので、皮２の張り替えも手軽にできる。
【００３２】
実施形態２
本発明の実施形態２の要部を図５に示す。実施形態２は実施形態１を改変してなるものであって、図５に示すように、皮固定リング３の外周に飾り紐を通す切欠き３ａを所要数形成してなるものとされる。図５中、符号３ｂはボルト用孔を示す。
【００３３】
なお、実施形態２のその余の構成および作用・効果は実施形態１と同様とされている。
【００３４】
図６に、飾り紐が装着された和太鼓Ｄを写真で示す。
【００３５】
このように、本実施形態によれば、和太鼓Ｄの周囲に飾り紐が装着されているので、和太鼓Ｄの意匠性が向上する。
【００３６】
以上、本発明を実施形態に基づいて説明してきたが、本発明はかかる実施形態のみに限定されるものではなく、種々改変が可能である。
【００３７】
例えば、和太鼓Ｄの制作手順は前記に限定されるものではなく、他の手順とすることもできる。例えば、数本の張り調節用ロッド４，４，・・・の両端にボルトＢを螺合させた後に、胴１を皮２，２間にセットするようにされてもよい。
【産業上の利用可能性】
【００３８】
本発明は太鼓産業に適用できる。
【符号の説明】
【００３９】
１        胴
２        皮
３        皮固定リング
３ａ      切欠き
４        張り調節用ロッド
５        リングパイプ(外側リング)
Ｄ        和太鼓
【図１】
2015228008.tif 000003
【図２】
2015228008.tif 000004
【図３】
2015228008.tif 000005
【図４】
2015228008.tif 000006
【図５】
2015228008.tif 000007
【図６】
2015228008.tif 000008